(57)【要約】【課題】  布基礎上に建築される住宅の床暖房の暖房効率を高める。【解決手段】  住宅の布基礎を構成する鉄筋コンクリート１の内側に盛土を行って形成した基盤２と、前記基盤２上に防湿シート３を介して配置した発泡断熱層４と、前記発泡断熱層４の上面に形成したコンクリート蓄熱層５と、前記コンクリート蓄熱層５に埋設された電気絶縁発熱線６と、前記コンクリート蓄熱層５の上面に形成された床材７を備え、少なくとも住宅の基礎部における外側境界部分を形成する布基礎１aと前記コンクリート蓄熱層５の間に発泡断熱層８が設けられる。【選択図】      図１
0003111307.tif 000002
【実用新案登録請求の範囲】
【請求項１】
住宅の布基礎を構成する鉄筋コンクリート１の内側に盛土を行って形成した基盤２と、前記基盤２上に防湿シート３を介して配置した発泡断熱層４と、前記発泡断熱層４の上面に形成したコンクリート蓄熱層５と、前記コンクリート蓄熱層５に埋設された電気絶縁発熱線６と、前記コンクリート蓄熱層５の上面に形成された床材７を備え、少なくとも住宅の基礎部における外側境界部分を形成する布基礎１aと前記コンクリート蓄熱層５の間に発泡断熱層８が設けられることを特徴とする住宅の床暖房構造。
【請求項２】
請求項１において、前記電気絶縁発熱線６を深夜電力により加熱するように構成したことを特徴とする住宅の床暖房構造。
【考案の詳細な説明】
【技術分野】
【０００１】
本考案は住宅の床暖房構造に関し、特に布基礎を利用した暖房効率に優れた床暖房構造に関する。
【背景技術】
【０００２】
住宅の在来工法の基礎は布基礎により構成されることが多い。通常、布基礎は住宅の基礎部における外側境界部分およびその内側の中間仕切部分に沿って形成した鉄筋コンクリートにより構成される。そして一般的な軸組工法ではその布基礎の上面に適宜土台を介して柱および床等が設けられる。
【０００３】
従来から住宅の暖房方法には種々の方式が存在するが、その中でも暖房効果に優れた床暖房方式が急速に普及している。布基礎を利用した住宅に床暖房方式を採用する技術が例えば特許文献１に記載されている。特許文献１の床暖房構造は、布基礎の内側に盛土し、その上にコンクリート床版を設けて下層床構造を形成し、その下層床構造の上に防湿シートを介して断熱層を設け、さらにその断熱層の上側に温水配管を埋設した乾燥砂で形成した蓄熱層を設け、乾燥砂層の上に床材を配置して構成される。
【０００４】
【特許文献１】特開平１１−９３３９０号公報
【考案の開示】
【考案が解決しようとする課題】
【０００５】
しかし特許文献１に記載された床暖房構造は、蓄熱層のほかにコンクリート床板で構成した下層床構造を設ける必要があるので、構造が複雑になりコストが高いという問題がある。また上記構造では床部分となる下層床構造の上に更に蓄熱層を形成するので、室内の床面が高くなり、その分だけ室内空間が減少するという問題もある。さらに床材の下側は柔らかい乾燥砂層が配置されるため、床材を安定に支持するための根太組が必要になる。そこで本考案は布基礎を利用した住宅における床暖房構造の問題を解決することを課題とするものである。
【課題を解決するための手段】
【０００６】
本考案の床暖房構造は、住宅の布基礎を構成する鉄筋コンクリートの内側に盛土を行って形成した基盤と、前記基盤上に防湿シートを介して配置した発泡断熱層と、前記発泡断熱層の上面に形成したコンクリート蓄熱層と、前記コンクリート蓄熱層に埋設された電気絶縁発熱線と、前記コンクリート蓄熱層の上面に形成された床材を備えている。そして少なくとも住宅の基礎部における外側境界部分を形成する布基礎と前記コンクリート蓄熱層の間に発泡断熱層が設けられることを特徴とする。（請求項１）
【０００７】
上記床暖房構造において、前記電気絶縁発熱線は深夜電力により加熱するように構成できる。（請求項２）
【考案の効果】
【０００８】
本考案の床暖房構造は、布基礎を構成するコンクリートスラブの内側に盛土を行って形成した基盤上に、防湿シートを介して配置した発泡断熱層を形成し、その発泡断熱層の上面に電気絶縁発熱線を埋設したコンクリート蓄熱層を形成しているので、特許文献１のように床面が高くなるという問題がなく、室内空間が減少することもない。
【０００９】
また、少なくとも住宅の基礎部における外側境界部分を形成する布基礎と前記コンクリート蓄熱層の間に発泡断熱層が設けられるので、特に外気により著しく冷却される前記外側境界部分を形成する布基礎へのコンクリート蓄熱層からの熱放散を防止でき、高い床暖房効率を達成することができる。さらに、硬化した布基礎の内側にコンクリート蓄熱層を形成するためにコンクリートやモルタルを追加打設したときには、その打設したコンクリートが硬化する際に収縮してコンクリートスラブとの境界部分に間隙が発生する恐れがあるが、上記のように布基礎と前記コンクリート蓄熱層の間に設けた発泡断熱層が有する弾性によりコンクリート収縮を吸収し、境界部分に間隙が発生することを防止できる。
【００１０】
さらに床材の下側には安定した剛性の高いコンクリート蓄熱層が配置されるので、床材を支持するための特別な根太組なども必要としない。
【考案を実施するための最良の形態】
【００１１】
次に図面により本考案を実施するための最良の形態を説明する。図１は本考案の床暖房構造の１例を示す縦断面図である。床暖房構造は住宅の布基礎を構成する鉄筋コンクリート１の内側に基盤２が形成され、その基盤２上に防湿シート３を介して発泡断熱層４が配置される。
【００１２】
発泡断熱層４の上面にコンクリート蓄熱層５が形成され、そのコンクリート蓄熱層５に電気絶縁発熱線６が埋設される。そしてコンクリート蓄熱層５の上面に床材７が形成され、住宅の基礎部における外側境界部分を形成する布基礎１aと前記コンクリート蓄熱層５の間に発泡断熱層８が設けられる。
【００１３】
本実施形態では前記布基礎１aの内側に配置される布基礎１ｂと前記コンクリート蓄熱層５の間にも発泡断熱層８を設けている。このように布基礎１ｂ側に発泡断熱層８を設けることにより、コンクリート蓄熱層５から布基礎１ｂへの熱放散を効果的に防止できる。しかし布基礎１ｂ側の発泡断熱層８は場合によっては省略することもできる。また鉄筋コンクリート１の上には例えば図示のような土台９が固定され、その土台９の上に柱１０（若しくは壁パネル）などが取り付けられる。
【００１４】
鉄筋コンクリート１を構成する外側の布基礎１aおよび内側の布基礎１ｂは、土壌２０に掘削した溝部に型枠を配置し、そこにコンクリートを打設して一体的に形成される。基盤２は鉄筋コンクリート１の内側の土壌に盛土し、ランマー等でよく転圧して固め、その上面が所定の高さで且つ水平になるように形成する。
【００１５】
防湿シート３は基盤からの湿気がその上側の発泡断熱層４やコンクリート蓄熱層５に侵入することを防止するもので、例えばポリエチレンシート（またはフィルム）等の防湿性を有する柔軟なプラスチックシートを使用できる。
【００１６】
発泡断熱層４はコンクリート蓄熱層５から熱が基盤２に放散することを防止するものであり、例えば発泡ポリスチレン、発泡ポリエチレン、発泡ウレタン等の細かい網目状に形成された多数の独立気泡または連通気泡を有する断熱性に優れた発泡プラスチックを使用できる。通常この種の発泡プラスチックは平板状のブロック体で市販されており、そのブロック体を防湿シート３の上に隙間無く敷き詰めることによって発泡断熱層４が形成される。なお発泡断熱層８も同様なブロック体を使用して形成することができる。
【００１７】
コンクリート蓄熱層５は内部に電気絶縁発熱線６を埋設すると共に、電気絶縁発熱線６で発生した熱を蓄熱するものである。このコンクリート蓄熱層５は先ず適当な支持具で発泡断熱層４の上面に電気絶縁発熱線６の組立体を配置し、そこにモルタルを打設することにより形成される。なお打設前にコンクリートスラブ１の内側に沿って図示のように発泡断熱層８を配置しておく。
【００１８】
電気絶縁発熱線６は床暖房の熱源を供給するもので、例えば耐熱性の電気絶縁シールでニクロム線等の発熱線を被覆した市販の発熱線を使用し、例えばU字状に折り返しで２次元状に組み立てて構成することができる。電気絶縁発熱線６への電力は深夜電力を利用して供給する方式が望ましい。すなわち電力料金の安い深夜に電気絶縁発熱線６へ電力を供給し、コンクリート蓄熱層５に蓄熱し、蓄熱時の床暖房を行うと共に、さらにその蓄熱を利用して翌日の日中から夜間までの床暖房を行う。
【００１９】
床材７は室内の床面を構成するものであり、通常この分野で用いられている市販の床材を使用することができる。例えば床材７は下側にクッション材を配置し、上側にフォローリングやカーペットを配置した複合床材が望ましい。
【００２０】
次に図１の床暖房構造を形成する方法について説明する。先ず、布基礎を構成する鉄筋コンクリート１を形成する。次に鉄筋コンクリート１の内側に沿って発泡断熱層８を配置した後、土壌に盛土して上面が水平な基盤２を形成する。次に基盤２の上に防湿シート３を配置し、その上に発泡断熱層４を配置する。
【００２１】
次に適当な支持具、例えば市販のワイアメッシュなどの上に電気絶縁発熱線６の組立体を発泡断熱層４の上面に適宜の距離を隔てて支持配置し、そこにモルタルを打設して電気絶縁発熱線６が埋設されたコンクリート蓄熱層５を形成する。次にコンクリート蓄熱層５の上に床材７を配置することにより、本考案の床暖房構造が完成する。
【産業上の利用可能性】
【００２２】
本考案の床暖房構造は布基礎で支持される住宅の床暖房用として利用できる。
【図面の簡単な説明】
【００２３】
【図１】本考案の床暖房構造の１例を示す縦断面図。
【符号の説明】
【００２４】
１  鉄筋コンクリート
1a,1b  布基礎
２  基盤
３  防湿シート
４  発泡断熱層
５  コンクリート蓄熱層
６  電気絶縁発熱線
７  床材
８  発泡断熱層
９  土台
10  柱
20  土壌
【図１】
0003111307.tif 000003